【手続補正書】
【提出日】平成15年10月2日(2003.10.2)
【手続補正１】
【補正対象書類名】明細書
【補正対象項目名】特許請求の範囲
【補正方法】変更
【補正の内容】
【特許請求の範囲】
【請求項１】
ユーザから取得した検索条件に適合するテキストを該ユーザに配送する文書検索配送方法であって、
複数のユーザからそれぞれ検索条件を取得し、該取得した各検索条件を該各ユーザのユーザ識別子と対応付けて格納する検索条件登録ステップと、
該各検索条件に対する該テキストの適合度をそれぞれ算出し、該適合度が予め定められた配送条件を満たしている検索条件と対応付けて格納されたユーザ識別子に対応するユーザに該テキストを配送するテキスト検索配送ステップとを有する文書検索配送方法。
【請求項２】
請求項１記載の文書検索配送方法において、
前記検索条件登録ステップは、
各ユーザが登録した検索条件中に記述された単語や文章あるいは文書（以下、種文書と呼ぶ）を読み込む種文書読込みステップと、
前記種文書読込みステップで読み込まれた種文書を解析し、検索に使用する検索タームを抽出する検索ターム抽出ステップと、
上記検索ターム抽出ステップで抽出された各検索タームに対して、上記種文書読込みステップで読み込まれた種文書を指定したユーザのユーザ識別子を登録するユーザ識別子登録ステップとを有することを特徴とする文書検索配送方法。
【請求項３】
請求項２記載の前記テキスト検索配送ステップは、
前記入力された文書情報のテキストに対して、前記検索ターム抽出ステップで抽出された検索タームを検索する検索ターム検索ステップと、
上記検索ターム検索ステップで検索された該検索ターム毎に登録された前記ユーザ識別子を取得するユーザ識別子取得ステップと、
上記検索ターム検索ステップで検索された検索タームの出現情報と、上記ユーザ識別子取得ステップで取得されたユーザ識別子を用いて、所定の算出式に基づいて、該テキストの各検索条件に対する適合度を算出する適合度算出ステップと、
上記適合度算出ステップで算出された適合度が前記予め定められた配送条件を満たすテキストを、該当するユーザに配送するテキスト配送ステップを有することを特徴とする文書検索配送方法。
【請求項４】
請求項２記載の文書検索配送方法において、
前記検索条件登録ステップは、
前記検索ターム抽出ステップで抽出された検索タームに対する重みを算出する検索ターム重み算出ステップを有し、
前記テキスト検索配送ステップは、
前記検索ターム抽出ステップで抽出された検索タームの該テキストにおける出現回数を計数する出現回数計数ステップと、
上記検索ターム重み算出ステップで算出された検索ターム重みと上記出現回数計数ステップで計数された該検索ターム出現回数を用いることにより、各検索条件に対する該テキストの適合度を算出する適合度算出ステップとを有することを特徴とした文書検索配送方法。
【請求項５】
請求項１ないし請求項４記載の文書検索配送方法におけるテキスト検索配送ステップにおいて、
検索条件に対する取得したテキストの適合度を算出する順番を制御する適合度算出順序制御ステップを有することを特徴とする文書検索配送方法。
【請求項６】
請求項５記載の文書検索配送方法における適合度算出順序制御ステップにおいて、
予め定められた配信優先度、ユーザが指定した配信優先度あるいは配信サービスの配信優先度を含む契約料金に従って前記適合度を算出する順番を決定する適合度算出順序決定ステップを有することを特徴とする文書検索配送方法。
【請求項７】
請求項４記載の文書検索配送方法における検索ターム重み算出ステップにおいて、
前記検索ターム抽出ステップで抽出された検索タームが出現するテキスト数を計数する検索ターム出現テキスト数計数ステップと、
上記検索ターム出現テキスト数計数ステップで計数されたテキスト数を用いて上記検索タームの重みを算出する検索ターム出現テキスト数利用重み算出ステップを有することを特徴とする文書検索配送方法。
【請求項８】
請求項１記載の文書検索配送方法において、
前記検索配送ステップは、
前記検索条件を満足する、検索により取得したテキスト、および当該テキストに対する各ユーザの検索条件との適合度を保存する、テキスト検索配送ステップを有することを特徴とする文書検索配送方法。
【請求項９】
請求項８記載の文書検索配送方法において、
前記テキスト検索配送ステップにおいて保存した内容をユーザに提示する、配送条件設定支援情報提示ステップを有することを特徴とする文書検索配送方法
【請求項１０】
請求項９記載の文書検索配送方法において、前記配送条件設定支援情報提示ステップにおいてユーザに提示する内容として、ユーザに配送したテキストの、適合度、配送時刻、配送時点での設定配送条件を該ユーザに一覧提示する、配送条件設定支援情報提示ステップを有することを特徴とする文書検索配送方法。
【請求項１１】
請求項９記載の文書検索配送方法において、前記配送条件設定支援情報提示ステップにおいてユーザに提示する内容として、過去に算出した適合度別のテキスト数を該ユーザに提示する、配送条件設定支援情報提示ステップを有することを特徴とする文書検索配送方法。
【請求項１２】
請求項９記載の文書検索配送方法において、前記配送条件設定支援情報提示ステップにおいてユーザに提示する内容として、過去に取得したテキストの適合度を、受信時刻に対してプロットしたグラフの形で該ユーザに提示する、配送条件設定支援情報提示ステップを有することを特徴とする文書検索配送方法。
【請求項１３】
ユーザから取得した検索条件に適合するテキストを該ユーザに配送する文書検索配送装置であって、
複数のユーザからそれぞれ検索条件を取得し、該取得した各検索条件を該各ユーザのユーザ識別子と対応付けて格納する検索条件登録手段と、
入力されたテキストの適合度を上記各検索条件に対してそれぞれ算出し、該適合度が予め定められた配送条件を満たす場合に、上記検索条件と対応付けて格納されたユーザ識別子に対応するユーザに該テキストを配送するテキスト検索配送手段とを有する文書検索配送装置。
【請求項１４】
ユーザから取得した検索条件に適合するテキストを該ユーザに配送する文書検索配送装置であって、
複数のユーザからそれぞれ検索条件を取得する検索条件登録制御手段と、
各ユーザが登録した検索条件中に記述された単語や文章あるいは文書（以下、種文書と呼ぶ）を読み込む種文書読込み手段と、
前記種文書読込み手段により読み込まれた種文書を解析し、検索に使用する検索タームを抽出する検索ターム抽出手段と、
上記検索ターム抽出手段により抽出された各検索タームに対して、上記種文書読込み手段により読み込まれた種文書を指定したユーザのユーザ識別子を登録するユーザ識別子登録手段と、
前記取得した各検索条件に対応する配送条件を該各ユーザのユーザ識別子と対応付けて格納する配送条件設定手段とを含む検索条件登録手段と、
前記入力された文書情報のテキストに対して、前記検索ターム抽出手段により抽出された検索タームを検索する検索ターム検索手段と、
上記検索ターム検索手段により検索された該検索ターム毎に登録された前記ユーザ識別子を取得するユーザ識別子取得手段と、
上記検索ターム検索手段により検索された検索タームの出現情報を用いて、所定の算出式に基づいて、該テキストの各検索条件に対する適合度を算出する適合度算出手段と、
上記適合度算出手段により算出された適合度が前記配送条件設定手段により格納された配送条件を満たすテキストを、該配送条件に対応するユーザに配送するテキスト配送手段とを含むテキスト検索配送手段とを有することを特徴とする文書検索配送装置。